(57)【要約】【課題】無線端末装置および無線基地局装置間で通信接続を確立するのに先立って送受信される、無線基地局装置から無線端末装置への送信タイミングを調整するためのランダムアクセス信号の設定を適切に行なうことにより、良好な通信システムを構築する。【解決手段】ランダムアクセス制御装置１０１は、所定情報に基づいて、対象の無線基地局装置である対象基地局への、無線端末装置２０２から送信される無線信号の送信電力の上限を判断するための電力制限部１１と、電力制限部１１によって判断された上記上限に基づいて、複数種類のランダムアクセス信号の中から無線端末装置２０２が使用可能な１または複数種類のランダムアクセス信号を選択するためのランダムアクセス信号選択部１２とを備える。【選択図】図４
2013201502.tif 000002
【特許請求の範囲】
【請求項１】
所定情報に基づいて、対象の無線基地局装置である対象基地局への、無線端末装置から送信される無線信号の送信電力の上限を判断するための電力制限部と、
前記無線端末装置から前記対象基地局への送信タイミングを調整するために前記対象基地局が検出する、前記無線端末装置が前記無線基地局装置との通信接続を確立するのに先立って前記無線端末装置から送信されるランダムアクセス信号について、前記電力制限部によって判断された前記上限に基づいて、複数種類の前記ランダムアクセス信号の中から前記無線端末装置が使用可能な１または複数種類のランダムアクセス信号を選択するためのランダムアクセス信号選択部とを備える、ランダムアクセス制御装置。
【請求項２】
前記ランダムアクセス制御装置は、さらに、
前記対象基地局のセル半径を評価可能なセル半径情報を取得するためのセル半径情報取得部を備え、
前記電力制限部は、前記セル半径情報に基づいて前記上限を判断する、請求項１に記載のランダムアクセス制御装置。
【請求項３】
前記電力制限部は、前記対象基地局のセル半径が大きいほど前記上限を大きく設定する、請求項２に記載のランダムアクセス制御装置。
【請求項４】
前記ランダムアクセス制御装置は、さらに、
他の無線基地局装置から前記対象基地局への無線端末装置の移動動作の失敗回数に基づく失敗情報を取得するための移動情報取得部を備え、
前記電力制限部は、前記失敗情報に基づいて前記上限を判断する、請求項１に記載のランダムアクセス制御装置。
【請求項５】
前記電力制限部は、前記移動動作の失敗回数または失敗率が大きいほど前記上限を大きく設定する、請求項４に記載のランダムアクセス制御装置。
【請求項６】
無線端末装置は、無線基地局装置が前記ランダムアクセス信号を検出するまで前記ランダムアクセス信号を繰り返し前記無線基地局装置へ送信し、
前記ランダムアクセス制御装置は、さらに、
前記対象基地局が前記ランダムアクセス信号を検出するまでの、無線端末装置から前記対象基地局への前記ランダムアクセス信号の送信回数を取得するための試行回数取得部を備え、
前記電力制限部は、前記送信回数に基づいて前記上限を判断する、請求項１に記載のランダムアクセス制御装置。
【請求項７】
前記電力制限部は、前記送信回数が大きいほど前記上限を大きく設定する、請求項６に記載のランダムアクセス制御装置。
【請求項８】
前記ランダムアクセス信号選択部は、前記電力制限部によって判断された前記上限によって決まるＣＭ（Cubic Metric）値に基づいて、複数種類の前記ランダムアクセス信号の中から前記無線端末装置が使用可能な１または複数種類のランダムアクセス信号を選択する、請求項１から請求項７のいずれか１項に記載のランダムアクセス制御装置。
【請求項９】
請求項１に記載のランダムアクセス制御装置を備える無線基地局装置。
【請求項１０】
１または複数の無線基地局装置を管理し、請求項１に記載のランダムアクセス制御装置を備える管理装置。
【請求項１１】
ランダムアクセス制御装置において用いられるランダムアクセス制御プログラムであって、コンピュータに、
所定情報に基づいて、対象の無線基地局装置である対象基地局への、無線端末装置から送信される無線信号の送信電力の上限を判断するステップと、
前記無線端末装置から前記対象基地局への送信タイミングを調整するために前記対象基地局が検出する、前記無線端末装置が前記無線基地局装置との通信接続を確立するのに先立って前記無線端末装置から送信されるランダムアクセス信号について、判断した前記上限に基づいて、複数種類の前記ランダムアクセス信号の中から前記無線端末装置が使用可能な１または複数種類のランダムアクセス信号を選択するステップとを実行させるための、ランダムアクセス制御プログラム。
【発明の詳細な説明】
【技術分野】
【０００１】
本発明は、ランダムアクセス制御装置、無線基地局装置、管理装置およびランダムアクセス制御プログラムに関し、特に、ランダムアクセス信号の設定を行なうためのランダムアクセス制御装置、無線基地局装置、管理装置およびランダムアクセス制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
ここで、無線端末装置が無線基地局装置との通信接続を確立するのに先立って無線端末装置および無線基地局装置間で送受信されるＲＡＣＨ（Random Access Channel）が、3GPP TS 36.211 V10.4.0 2011.12（非特許文献１）に開示されている。無線基地局装置は、ＲＡＣＨを用いて無線端末装置から自己への送信タイミングを調整することにより、自己および無線端末装置間での良好な通信を可能とする。
【先行技術文献】
【非特許文献】
【０００９】
【非特許文献１】3GPP TS 36.211 V10.4.0 2011.12
【発明の概要】
【発明が解決しようとする課題】
【００１０】
フェムト基地局またはピコ基地局は、マクロ基地局と比べて無計画に配置される場合が多く、また、通信システムにおける通信負荷の増減に応じて起動および停止が動的に制御される場合もある。このため、送信タイミングおよび送信電力等、ＲＡＣＨに関する最適なパラメータ設定は、一定ではなく、変化する場合がある。
【００１１】
そして、ＲＡＣＨのパラメータ設定が適切でない場合には、無線端末装置が無線基地局装置との通信接続を確立できない、当該通信接続の確立に遅延が生じる、および無線端末装置のハンドオーバ動作に遅延が生じる等、種々の問題が生じる。
【００１２】
この発明は、上述の課題を解決するためになされたもので、その目的は、無線端末装置および無線基地局装置間で通信接続を確立するのに先立って送受信される、無線基地局装置から無線端末装置への送信タイミングを調整するためのランダムアクセス信号の設定を適切に行なうことにより、良好な通信システムを構築することが可能なランダムアクセス制御装置、無線基地局装置、管理装置およびランダムアクセス制御プログラムを提供することである。
【課題を解決するための手段】
【００１３】
（１）上記課題を解決するために、この発明のある局面に係わるランダムアクセス制御装置は、所定情報に基づいて、対象の無線基地局装置である対象基地局への、無線端末装置から送信される無線信号の送信電力の上限を判断するための電力制限部と、上記無線端末装置から上記対象基地局への送信タイミングを調整するために上記対象基地局が検出する、上記無線端末装置が上記無線基地局装置との通信接続を確立するのに先立って上記無線端末装置から送信されるランダムアクセス信号について、上記電力制限部によって判断された上記上限に基づいて、複数種類の上記ランダムアクセス信号の中から上記無線端末装置が使用可能な１または複数種類のランダムアクセス信号を選択するためのランダムアクセス信号選択部とを備える。
【００１４】
このような構成により、無線端末装置から自己の無線基地局装置へ送信される無線信号の送信電力の上限に応じた適切なランダムアクセス信号を選択することができる。したがって、ランダムアクセス信号の設定を適切に行なうことにより、良好な通信システムを構築することができる。また、無計画に設置される場合の多いフェムト基地局およびピコ基地局のＲＡＣＨに関するパラメータを自動的に設定することができるため、ＣＡＰＥＸ（Capital Expenditure）すなわち無線基地局装置の配置にかかるコスト、およびＯＰＥＸ（Operational Expenditure）すなわち無線基地局装置の運用にかかるコストの低減を図ることができる。
【００１５】
（２）好ましくは、上記ランダムアクセス制御装置は、さらに、上記対象基地局のセル半径を評価可能なセル半径情報を取得するためのセル半径情報取得部を備え、上記電力制限部は、上記セル半径情報に基づいて上記上限を判断する。
【００１６】
このように、自己の無線基地局装置のセル半径に基づいて自己の無線基地局装置のランダムアクセス信号に関する設定を行なう構成により、無線基地局装置の特性に応じた最適な設定を行なうことができる。
【００１７】
（３）より好ましくは、上記電力制限部は、上記対象基地局のセル半径が大きいほど上記上限を大きく設定する。
【００１８】
このような構成により、自己の無線基地局装置のセル半径の大きさに応じて無線端末装置の送信電力の上限を適切に設定し、適切なランダムアクセス信号を選択することができる。
【００１９】
（４）好ましくは、上記ランダムアクセス制御装置は、さらに、他の無線基地局装置から上記対象基地局への無線端末装置の移動動作の失敗回数に基づく失敗情報を取得するための移動情報取得部を備え、上記電力制限部は、上記失敗情報に基づいて上記上限を判断する。
【００２０】
このように、自己の無線基地局装置への無線端末装置の移動動作の状況に基づいて自己の無線基地局装置のランダムアクセス信号に関する設定を行なう構成により、無線基地局装置の通信環境に応じた最適な設定を行なうことができる。
【００２１】
（５）より好ましくは、上記電力制限部は、上記移動動作の失敗回数または失敗率が大きいほど上記上限を大きく設定する。
【００２２】
このような構成により、自己の無線基地局装置への無線端末装置の移動動作の失敗履歴に基づいて無線端末装置の送信電力の上限を適切に設定し、適切なランダムアクセス信号を選択することができる。
【００２３】
（６）好ましくは、無線端末装置は、無線基地局装置が上記ランダムアクセス信号を検出するまで上記ランダムアクセス信号を繰り返し上記無線基地局装置へ送信し、上記ランダムアクセス制御装置は、さらに、上記対象基地局が上記ランダムアクセス信号を検出するまでの、無線端末装置から上記対象基地局への上記ランダムアクセス信号の送信回数を取得するための試行回数取得部を備え、上記電力制限部は、上記送信回数に基づいて上記上限を判断する。
【００２４】
このように、自己の無線基地局装置における無線端末装置からのランダムアクセス信号の検出特性に基づいて自己の無線基地局装置のランダムアクセス信号に関する設定を行なう構成により、無線基地局装置の通信環境に応じた最適な設定を行なうことができる。
【００２５】
（７）より好ましくは、上記電力制限部は、上記送信回数が大きいほど上記上限を大きく設定する。
【００２６】
このような構成により、無線端末装置からのランダムアクセス信号の送信回数に応じて無線端末装置の送信電力の上限を適切に設定し、適切なランダムアクセス信号を選択することができる。
【００２７】
（８）好ましくは、上記ランダムアクセス信号選択部は、上記電力制限部によって判断された上記上限によって決まるＣＭ（Cubic Metric）値に基づいて、複数種類の上記ランダムアクセス信号の中から上記無線端末装置が使用可能な１または複数種類のランダムアクセス信号を選択する。
【００２８】
このような構成により、ＣＭ値の大小に応じた適切なランダムアクセス信号を選択することができる。
【００２９】
好ましくは、上記ランダムアクセス信号は、ランダムアクセスプリアンブルである。
【００３０】
このような構成により、適切なランダムアクセスプリアンブルを選択し、ランダムアクセスシーケンスにおいて重要なランダムアクセスプリアンブルの検出を良好に行うことができる。
【００３１】
（９）上記課題を解決するために、この発明のある局面に係わる無線基地局装置は、上記（１）のランダムアクセス制御装置を備える。
【００３２】
このような構成により、無線通信システムにおけるランダムアクセス信号の設定を各無線基地局装置で行なうことができるため、無線端末装置の送信電力の上限の判断およびランダムアクセス信号に関する設定の処理負荷を分散させることができる。
【００３３】
（１０）上記課題を解決するために、この発明のある局面に係わる管理装置は、１または複数の無線基地局装置を管理し、上記（１）のランダムアクセス制御装置を備える。
【００３４】
このような構成により、無線通信システムにおける各無線基地局装置のランダムアクセス信号の設定を管理装置において一括して行なうことができるため、無線端末装置の送信電力の上限の判断およびランダムアクセス信号に関する設定を、より効率的に行なうことができる。
【００３５】
（１１）上記課題を解決するために、この発明のある局面に係わるランダムアクセス制御装置は、ランダムアクセス制御装置において用いられるランダムアクセス制御プログラムであって、コンピュータに、所定情報に基づいて、対象の無線基地局装置である対象基地局への、無線端末装置から送信される無線信号の送信電力の上限を判断するステップと、上記無線端末装置から上記対象基地局への送信タイミングを調整するために上記対象基地局が検出する、上記無線端末装置が上記無線基地局装置との通信接続を確立するのに先立って上記無線端末装置から送信されるランダムアクセス信号について、判断した上記上限に基づいて、複数種類の上記ランダムアクセス信号の中から上記無線端末装置が使用可能な１または複数種類のランダムアクセス信号を選択するステップとを実行させるためのプログラムである。
【００３６】
このような構成により、無線端末装置から自己の無線基地局装置へ送信される無線信号の送信電力の上限に応じた適切なランダムアクセス信号を選択することができる。したがって、ランダムアクセス信号の設定を適切に行なうことにより、良好な通信システムを構築することができる。また、無計画に設置される場合の多いフェムト基地局およびピコ基地局のＲＡＣＨに関するパラメータを自動的に設定することができるため、ＣＡＰＥＸ（Capital Expenditure）すなわち無線基地局装置の配置にかかるコスト、およびＯＰＥＸ（Operational Expenditure）すなわち無線基地局装置の運用にかかるコストの低減を図ることができる。
【発明の効果】
【００３７】
本発明によれば、無線端末装置および無線基地局装置間で通信接続を確立するのに先立って送受信される、無線基地局装置から無線端末装置への送信タイミングを調整するためのランダムアクセス信号の設定を適切に行なうことにより、良好な通信システムを構築することができる。
【図面の簡単な説明】
【００３８】
【図１】本発明の実施の形態に係る無線通信システムの構成を示す図である。
【図２】本発明の実施の形態に係る無線基地局装置の構成を示す図である。
【図３】本発明の実施の形態に係る無線通信システムにおけるランダムアクセスシーケンスを示す図である。
【図４】本発明の実施の形態に係る無線基地局装置における制御部の構成を示す図である。
【図５】本発明の実施の形態に係る無線基地局装置がＲＡＣＨパラメータを設定する際の動作手順の一例を定めたフローチャートである。
【図６】本発明の実施の形態に係る無線基地局装置のセル半径の取得方法の一例を示す図である。
【図７】本発明の実施の形態に係る無線基地局装置のセル半径の取得方法の一例を示す図である。
【図８】本発明の実施の形態に係る無線基地局装置がＲＡＣＨパラメータを設定する際の動作手順の一例を定めたフローチャートである。
【図９】本発明の実施の形態に係る無線基地局装置がＲＡＣＨパラメータを設定する際の動作手順の一例を定めたフローチャートである。
【発明を実施するための形態】
【００３９】
以下、本発明の実施の形態について図面を用いて説明する。なお、図中同一または相当部分には同一符号を付してその説明は繰り返さない。
【００４０】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。この測定結果に基づいて、無線端末装置の周辺セルへの移動が開始される。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００４１】
具体的には、ハンドオーバを意味することに加えて、たとえば、３ＧＰＰ  ＴＳ  ３６．３０４  Ｖ１０．３．０  ２０１１．１０に記載されているような、アイドル状態の無線端末装置が、各無線基地局装置からの無線信号の測定結果に基づいて、通信相手となる無線基地局装置を選択するセル再選択（Cell Reselection）を意味する。
【００４２】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００４３】
また、ハンドオーバとは、通話中またはデータ通信中の無線端末装置の通信相手となる無線基地局装置が切り替えられることを意味する。
【００４４】
また、無線端末装置の「アイドル状態」とは、ある無線基地局装置を無線端末装置が通信相手として選択しており、かつ当該無線基地局装置と通信を行なっていない状態である。また、「通信を行なっていない状態」とは、当該無線基地局装置へ何らかの情報を送信する動作を行なっていない状態である。
【００４５】
なお、無線端末装置の「アイドル状態」の定義として、３ＧＰＰにおいて規定された「Idle Mode」の定義を用いてもよい。
【００４６】
また、無線端末装置がセルに在圏している、とは、無線端末装置が、当該セルを形成する無線基地局装置を通信先として選択し、かつ当該無線基地局装置と通信可能な状態または通信中である状態を意味する。
【００４７】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００４８】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００４９】
本発明の実施の形態に係る無線通信システムにおいても、このような３ＧＰＰの定義を適用してもよい。
【００５０】
また、上記定義と合わせて、あるいは別個に、以下のような定義を適用することも可能である。
【００５１】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【００５２】
また、フェムト基地局は、主に個人または法人の建物内に設置され、ユーザの事情により移動するまたは電源がオフとなる可能性がある無線基地局装置である。
【００５３】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００５４】
［基本構成および基本動作］
図１は、本発明の実施の形態に係る無線通信システムの構成を示す図である。
【００５５】
図１を参照して、無線通信システム３０１は、たとえば３ＧＰＰ（Third Generation Partnership Project）で規格化されたＬＴＥ（Long Term Evolution）に従う移動体通信システムであり、フェムト基地局１０１Ａ，１０１Ｂ，１０１Ｃと、ピコ基地局１０１Ｄと、マクロ基地局２０１と、ゲートウェイ装置２０３とを備える。
【００５６】
以下、フェムト基地局１０１Ａ，１０１Ｂ，１０１Ｃ、ピコ基地局１０１Ｄ、およびマクロ基地局２０１の各々を無線基地局装置１０１と称する場合がある。また、図１では、１つのマクロ基地局と、１つのピコ基地局と、３つのフェムト基地局とを代表的に示しているが、これらの組み合わせおよび数はこれに限定されるものではない。
【００５７】
フェムト基地局１０１Ａ，１０１Ｂ，１０１Ｃは、たとえば半径数十メートルのフェムトセルＦＣＡ，ＦＣＢ，ＦＣＣをそれぞれ形成する。また、ピコ基地局１０１Ｄは、半径１００メートルから２００メートルのピコセルＰＣを形成する。また、マクロ基地局２０１は、たとえば半径数キロメートルのマクロセルＭＣを形成する。
【００５８】
フェムト基地局１０１Ａ，１０１Ｂ，１０１Ｃは、地下街等、マクロ基地局２０１およびピコ基地局１０１Ｄからの無線信号を無線端末装置２０２が受信しにくい場所に設置され、それぞれフェムトセルＦＣＡ，ＦＣＢ，ＦＣＣ内に存在する無線端末装置２０２と無線信号を送受信することにより、当該無線端末装置２０２と通信することが可能である。
【００５９】
ピコ基地局１０１Ｄは、ピコセルＰＣ内に存在する無線端末装置２０２と無線信号を送受信することにより、当該無線端末装置２０２と通信することが可能である。マクロ基地局２０１は、マクロセルＭＣ内に存在する無線端末装置２０２と無線信号を送受信することにより、当該無線端末装置２０２と通信することが可能である。
【００６０】
ゲートウェイ装置２０３は、フェムト基地局１０１Ａ，１０１Ｂ，１０１Ｃとコアネットワーク２０４における上位装置２０５との間で送信される種々の通信データの中継処理等を行なう。
【００６１】
上位装置２０５は、たとえばＭＭＥ（Mobility  Management  Entity）であり、無線通信システム３０１全体の情報を管理する。たとえば、上位装置２０５は、無線通信システム３０１における各無線基地局装置の情報を取得して記憶する。
【００６２】
ここで、無線端末装置２０２からコアネットワーク２０４への方向を上り方向と称し、コアネットワーク２０４から無線端末装置２０２への方向を下り方向と称する。
【００６３】
図２は、本発明の実施の形態に係る無線基地局装置の構成を示す図である。
【００６４】
図２を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【００６５】
サーキュレータ９２は、アンテナ９１において受信された無線端末装置２０２からの無線信号を無線受信部９３へ出力し、また、無線送信部９４から受けた無線信号をアンテナ９１へ出力する。
【００６６】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【００６７】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【００６８】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【００６９】
無線送信部９４は、送信信号処理部９７から受けたデジタル信号をアナログ信号に変換し、変換したアナログ信号を無線信号に周波数変換してサーキュレータ９２へ出力する。
【００７０】
制御部９８は、無線基地局装置１０１における各ユニットおよびコアネットワーク側との間で各種情報をやり取りする。
【００７１】
図３は、本発明の実施の形態に係る無線通信システムにおけるランダムアクセスシーケンスを示す図である。
【００７２】
図３を参照して、まず、無線基地局装置１０１は、たとえば非特許文献１に記載のランダムアクセスプリアンブル（以下、ＲＡＣＨプリアンブルとも称する。）の送信タイミングおよび送信周波数、使用可能なＲＡＣＨプリアンブルの番号、ならびにＲＡＣＨプリアンブルの送信電力等を報知情報に含めて各無線端末装置２０２へ送信する（ステップＳ１０１）。
【００７３】
次に、無線端末装置２０２は、無線基地局装置１０１から受信した報知情報に基づいて、無線基地局装置１０１から指定された複数種類のＲＡＣＨプリアンブルの中からいずれか１つを選択し（ステップＳ１０２）、無線基地局装置１０１へ送信する（ステップＳ１０３）。
【００７４】
次に、無線基地局装置１０１は、無線端末装置２０２から送信されたＲＡＣＨプリアンブルを検出し、当該無線端末装置２０２の送信タイミングのずれを推定し、当該送信タイミングの補正値を算出する（ステップＳ１０４）。
【００７５】
次に、無線基地局装置１０１は、算出した補正値、検出したＲＡＣＨプリアンブルの番号、仮のＣ−ＲＮＴＩ（Cell Radio Network Temporary Identifier）、およびＲＡＣＨメッセージを送信すべきタイミングを示すＲＡＣＨ制御情報を無線端末装置２０２へ送信する（ステップＳ１０５）。
【００７６】
次に、無線端末装置２０２は、無線基地局装置１０１から受信したＲＡＣＨ制御情報に基づいて、自己の送信タイミングを補正する（ステップＳ１０６）。
【００７７】
次に、無線端末装置２０２は、無線基地局装置１０１において他の無線端末装置２０２とのＲＡＣＨプリアンブルの衝突を検出するためのＣＲ−ＩＤ（content reference identifier）を含むＲＡＣＨメッセージに、上記仮のＣ−ＲＮＴＩを付して無線基地局装置１０１へ送信する。このＲＡＣＨメッセージの送信においては、たとえばＨＡＲＱ（Hybrid Automatic Repeat Request）が用いられる（ステップＳ１０７）。
【００７８】
次に、無線基地局装置１０１が無線端末装置２０２からＲＡＣＨメッセージを受信して、無線端末装置２０２の登録処理等、上位レイヤに従う処理が実行される（ステップＳ１０８）。
【００７９】
次に、無線基地局装置１０１は、無線端末装置２０２から受信したＣＲ−ＩＤ、および正式なＣ−ＲＮＴＩ等を含むＲＡＣＨ応答情報を当該無線端末装置２０２へ送信する（ステップＳ１０９）。
【００８０】
以上のような処理により、無線端末装置２０２および無線基地局装置１０１間のランダムアクセスシーケンスが完了する。
【００８１】
たとえば、ＬＴＥでは、３ＧＰＰ  ＴＳＧ  ＲＡＮ  ＷＧ１  ＃５０ｂｉｓ  Ｒ１−０７４５１４“Ｗａｙ  Ｆｏｒｗａｒｄ  Ｐｒｏｐｏｓａｌ  ｏｎ  ＰＲＡＣＨ  Ｓｅｑｕｅｎｃｅ  Ｏｒｄｅｒｉｎｇ”に記載されているように、８３８個のＲＡＣＨプリアンブルが、ＣＭ（Cubic Metric）値の大小で“ｈｉｇｈ”および“ｌｏｗ”の２つのグループに分けられる。すなわち、ＣＭ値は、ＲＡＣＨプリアンブルのビットパターンによって異なる。
【００８２】
そして、８３８個のＲＡＣＨプリアンブルのうち、“ｌｏｗ”グループにはゼロ番から４００番台までのＲＡＣＨプリアンブルが含まれ、“ｈｉｇｈ”グループには４００番台から８３７番までのＲＡＣＨプリアンブルが含まれる。
【００８３】
無線基地局装置１０１は、上記グループから６４個のＲＡＣＨプリアンブルを選択し、無線端末装置２０２に使用させる。
【００８４】
より詳細には、無線基地局装置１０１は、無線端末装置２０２が使用可能なＲＡＣＨプリアンブルを６４個定め、報知情報で各無線端末装置２０２に報知する。具体的には、たとえば、無線基地局装置１０１は、「Ｌｏｇｉｃａｌ  ｒｏｏｔ  ｓｅｑｕｅｎｃｅ  ｎｕｍｂｅｒ」と呼ばれる連続する６４個のインデックスの先頭のみを各無線端末装置２０２に報知する。
【００８５】
無線端末装置２０２は、ＣＭ値の小さいＲＡＣＨプリアンブルほど、無線信号の送信用の増幅器における歪みを抑えながら送信電力を大きくすることができるため、より遠くの無線基地局装置１０１まで到達させることが可能である。
【００８６】
［課題］
ここで、たとえば無線基地局装置１０１の送信アンテナのチルト角等が変わり、セル半径が大きくなった場合において、大きいＣＭ値のＲＡＣＨプリアンブルを無線端末装置２０２に対して指定すると、無線端末装置２０２の送信電力をより大きくする必要が生じる。そうすると、送信無線信号の歪みが大きくなり、無線端末装置２０２が無線基地局装置１０１との通信接続を確立できない、当該通信接続の確立に遅延が生じる、および無線端末装置２０２のハンドオーバ動作に遅延が生じる等、種々の問題が生じる。
【００８７】
そこで、本発明の実施の形態に係る無線通信システムでは、以下のような構成および動作により、上記課題を解決する。
【００８８】
［構成および動作］
図４は、本発明の実施の形態に係る無線基地局装置における制御部の構成を示す図である。
【００８９】
図４を参照して、制御部９８は、電力制限部１１と、ランダムアクセス信号選択部１２と、セル半径情報取得部１３と、移動情報取得部１４と、試行回数取得部１５とを含む。
【００９０】
電力制限部１１は、所定情報に基づいて、自己の無線基地局装置１０１への、無線端末装置２０２から送信される無線信号の送信電力の上限を判断する。
【００９１】
ランダムアクセス信号選択部１２は、電力制限部１１によって判断された上記上限に基づいて、複数種類のランダムアクセス信号の中から上記無線端末装置２０２が使用可能な１または複数種類のランダムアクセス信号を選択する。たとえば、ランダムアクセス信号選択部１２は、電力制限部１１によって判断された上記上限によって決まるＣＭ（Cubic Metric）値に基づいてランダムアクセス信号を選択する。
【００９２】
ここで、ランダムアクセス信号は、たとえばＲＡＣＨプリアンブルであり、無線端末装置２０２から無線基地局装置１０１への送信タイミングを調整するために無線基地局装置１０１が検出する、無線端末装置２０２が無線基地局装置１０１との通信接続を確立するのに先立って当該無線端末装置２０２から送信される信号である。
【００９３】
［詳細動作］
次に、本発明の実施の形態に係る無線基地局装置がＲＡＣＨパラメータを設定する際の動作について図面を用いて説明する。
【００９４】
本発明の実施の形態に係る無線基地局装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【００９５】
図５は、本発明の実施の形態に係る無線基地局装置がＲＡＣＨパラメータを設定する際の動作手順の一例を定めたフローチャートである。
【００９６】
図４に示す制御部９８において、セル半径情報取得部１３は、自己の無線基地局装置１０１のセル半径を評価可能なセル半径情報を取得する。より詳細には、セル半径情報取得部１３は、たとえば、通信事業者によって自己の無線基地局装置１０１に登録されたシステム情報から、自己の無線基地局装置１０１のセル半径を評価可能なセル半径情報、たとえば自己の最大送信電力を取得する。なお、セル半径情報は、セル半径の値そのものであってもよい。
【００９７】
電力制限部１１は、セル半径情報取得部１３によって取得されたセル半径情報に基づいて、自己の無線基地局装置１０１への、無線端末装置２０２から送信される無線信号の送信電力の上限を判断する。たとえば、電力制限部１１は、自己の無線基地局装置１０１のセル半径が大きいほど上記上限を大きく設定する。
【００９８】
具体的には、図５を参照して、まず、無線基地局装置１０１のセル半径が設定される。たとえば、通信事業者が、新たに設置される無線基地局装置１０１のセル半径を設定する（ステップＳ１）。
【００９９】
次に、無線基地局装置１０１の制御部９８において、電力制限部１１は、自己の無線基地局装置１０１のセル半径が所定の閾値未満である場合には（ステップＳ２でＹＥＳ）、ＲＡＣＨプリアンブルのＣＭ値のグループを“ｈｉｇｈ”に設定する（ステップＳ３）。一方、電力制限部１１は、自己の無線基地局装置１０１のセル半径が所定の閾値以上である場合には（ステップＳ２でＮＯ）、ＲＡＣＨプリアンブルのＣＭ値のグループを“ｌｏｗ”に設定する（ステップＳ４）。
【０１００】
次に、ランダムアクセス信号選択部１２は、電力制限部１１によって設定されたグループに対応する複数種類のＲＡＣＨプリアンブルを選択し、選択した内容を示す報知情報を送信信号処理部９７経由で各無線端末装置２０２へ送信する。これにより、自己の無線基地局装置１０１および無線端末装置２０２間で、上記設定内容に従ったＲＡＣＨプリアンブルの送受信が行われる（ステップＳ５）。
【０１０１】
そして、電力制限部１１は、自己の無線基地局装置１０１のセル半径が新たに変更されると（ステップＳ６でＹＥＳ）、ＲＡＣＨプリアンブルのＣＭ値のグループ設定を再び行なう（ステップＳ２）。
【０１０２】
ここで、無線基地局装置１０１が自己のセル半径を取得する方法としては、たとえば、無線基地局装置１０１の外部情報、前述のシステム情報のような無線基地局装置１０１の内部情報、または周辺セルの測定結果から、自己の無線基地局装置１０１のセル半径を取得する方法が考えられる。
【０１０３】
図６は、本発明の実施の形態に係る無線基地局装置のセル半径の取得方法の一例を示す図である。
【０１０４】
図６を参照して、移動通信のサービスエリアに関する情報は、通常、通信事業者が管理する。そこで、無線基地局装置１０１は、通信事業者からセル半径の情報を取得する。
【０１０５】
具体的には、無線基地局装置１０１の制御部９８において、セル半径情報取得部１３は、通信事業者のサーバ２０６に対して定期的にアクセスし、自己の無線基地局装置１０１のセル半径情報を取得する。
【０１０６】
あるいは、サーバ２０６が、無線基地局装置１０１のセル半径が変更された場合に、変更後のセル半径を当該無線基地局装置１０１に通知する。
【０１０７】
あるいは、セル半径情報取得部１３は、自己の無線基地局装置１０１の送信アンテナのチルト角および無線信号の送信電力の情報を取得して保存しておく。そして、セル半径情報取得部１３は、たとえばサーバ２０６から定期的にチルト角および送信電力の情報を取得し、保存している情報と比較し、情報に変化があった場合には、自己の無線基地局装置１０１のセル半径が変更されたと判断する。
【０１０８】
図７は、本発明の実施の形態に係る無線基地局装置のセル半径の取得方法の一例を示す図である。
【０１０９】
図７を参照して、無線基地局装置１０１の信号処理部９５において、受信信号処理部９６は、周辺基地局が送信した無線信号の受信電力を測定する。セル半径情報取得部１３は、周辺基地局が送信する無線信号の送信電力と、周辺基地局が送信する無線信号の、自己の無線基地局装置１０１の形成するセルにおける受信電力との差であるパスロスに基づいて、自己の無線基地局装置１０１と周辺基地局との基地局間距離を推定し、保存しておく。
【０１１０】
セル半径情報取得部１３は、周辺基地局の送信電力の取得、および受信信号処理部９６による周辺基地局の測定結果の取得を定期的に行なってパスロスを求め、基地局間距離を推定する。セル半径情報取得部１３は、新たに推定した基地局間距離と保存している基地局間距離とを比較し、変化があった場合には、セル半径が変更されたと判断する。
【０１１１】
セル半径が変更される状況としては、具体的には、図７に示すように、フェムト基地局１０１Ａ，１０１Ｂ，１０１Ｃが設置されている状態において、新たにフェムト基地局１０１Ｆが設置されると、たとえば通信事業者によってフェムト基地局１０１Ａ，１０１Ｂ，１０１Ｃの送信電力が変更され、パスロスが変化する。これにより、フェムト基地局１０１Ａ，１０１Ｂ，１０１ＣのセルＦＣＡ，ＦＣＢ，ＦＣＣの半径がそれぞれ変更される。
【０１１２】
図８は、本発明の実施の形態に係る無線基地局装置がＲＡＣＨパラメータを設定する際の動作手順の一例を定めたフローチャートである。
【０１１３】
図４に示す制御部９８において、移動情報取得部１４は、他の無線基地局装置１０１から自己の無線基地局装置１０１への無線端末装置２０２のハンドオーバ動作の失敗回数に基づく失敗情報、すなわち当該失敗回数または失敗率等を示す情報を取得する。
【０１１４】
電力制限部１１は、移動情報取得部１４によって取得された失敗情報に基づいて、自己の無線基地局装置１０１への、無線端末装置２０２から送信される無線信号の送信電力の上限を判断する。たとえば、電力制限部１１は、上記ハンドオーバ動作の失敗回数または失敗率が大きいほど上記上限を大きく設定する。
【０１１５】
具体的には、図８を参照して、まず、無線基地局装置１０１において、ＲＡＣＨプリアンブルのＣＭ値のグループが初期設定される（ステップＳ１１）。
【０１１６】
次に、無線基地局装置１０１の制御部９８において、ランダムアクセス信号選択部１２は、設定されたグループに対応する複数種類のＲＡＣＨプリアンブルを選択し、選択した内容を示す報知情報を送信信号処理部９７経由で各無線端末装置２０２へ送信する。これにより、自己の無線基地局装置１０１および無線端末装置２０２間で、上記設定内容に従ったＲＡＣＨプリアンブルの送受信が行われる（ステップＳ１２）。
【０１１７】
次に、移動情報取得部１４は、たとえば所定期間、周辺基地局から自己の無線基地局装置１０１への無線端末装置２０２のハンドオーバ動作の失敗回数、および必要に応じて成功回数をカウントする。そして、電力制限部１１は、当該ハンドオーバ動作の失敗回数または失敗率が所定の閾値未満である場合には（ステップＳ１３でＹＥＳ）、ＲＡＣＨプリアンブルのＣＭ値のグループを“ｈｉｇｈ”に設定する（ステップＳ１４）。一方、電力制限部１１は、当該失敗回数または失敗率が上記所定の閾値以上である場合には（ステップＳ１３でＮＯ）、ＲＡＣＨプリアンブルのＣＭ値のグループを“ｌｏｗ”に設定する（ステップＳ１５）。
【０１１８】
次に、ランダムアクセス信号選択部１２は、電力制限部１１によって設定されたグループに対応する複数種類のＲＡＣＨプリアンブルを選択し、選択した内容を示す報知情報を送信信号処理部９７経由で各無線端末装置２０２へ送信する。これにより、自己の無線基地局装置１０１および無線端末装置２０２間で、上記設定内容に従ったＲＡＣＨプリアンブルの送受信が行われる（ステップＳ１２）。
【０１１９】
なお、移動情報取得部１４は、ハンドオーバ動作の失敗回数に基づく失敗情報を取得する構成に限らず、セル再選択の失敗回数に基づく失敗情報を取得する構成であってもよい。
【０１２０】
図９は、本発明の実施の形態に係る無線基地局装置がＲＡＣＨパラメータを設定する際の動作手順の一例を定めたフローチャートである。
【０１２１】
たとえばＬＴＥでは、無線端末装置２０２からのＲＡＣＨプリアンブルの送信において、パワーランピング（Power Ramping）が行われる。すなわち、無線端末装置２０２は、無線基地局装置１０１がＲＡＣＨプリアンブルを検出するまでＲＡＣＨプリアンブルを繰り返し当該無線基地局装置１０１へ送信する。また、無線端末装置２０２は、ＲＡＣＨプリアンブルを再送信するたびに、ランピングステップずつ、ＲＡＣＨプリアンブルの送信電力を徐々に上昇させる。
【０１２２】
図４に示す制御部９８において、試行回数取得部１５は、自己の無線基地局装置１０１がランダムアクセス信号を検出するまでの、無線端末装置２０２から自己の無線基地局装置１０１へのランダムアクセス信号の送信回数を取得する。
【０１２３】
電力制限部１１は、試行回数取得部１５によって取得された送信回数に基づいて、自己の無線基地局装置１０１への、無線端末装置２０２から送信される無線信号の送信電力の上限を判断する。たとえば、電力制限部１１は、上記送信回数が大きいほど上記上限を大きく設定する。
【０１２４】
具体的には、図９を参照して、まず、無線基地局装置１０１において、ＲＡＣＨプリアンブルのＣＭ値のグループが初期設定される（ステップＳ２１）。
【０１２５】
次に、無線基地局装置１０１の制御部９８において、ランダムアクセス信号選択部１２は、設定されたグループに対応する複数種類のＲＡＣＨプリアンブルを選択し、選択した内容を示す報知情報を送信信号処理部９７経由で各無線端末装置２０２へ送信する。これにより、自己の無線基地局装置１０１および無線端末装置２０２間で、上記設定内容に従ったＲＡＣＨプリアンブルの送受信が行われる（ステップＳ２２）。
【０１２６】
次に、試行回数取得部１５は、たとえば所定期間における無線端末装置２０２のＲＡＣＨアクセス試行回数、すなわち自己の無線基地局装置１０１がＲＡＣＨプリアンブルを検出するまでの、無線端末装置２０２によるＲＡＣＨプリアンブルの送信回数を取得する。たとえば、試行回数取得部１５は、各無線端末装置２０２から当該送信回数を報告させて、当該送信回数の平均値を算出する。そして、電力制限部１１は、ＲＡＣＨアクセス試行回数が所定の閾値未満である場合には（ステップＳ２３でＹＥＳ）、ＲＡＣＨプリアンブルのＣＭ値のグループを“ｈｉｇｈ”に設定する（ステップＳ２４）。一方、電力制限部１１は、ＲＡＣＨアクセス試行回数が上記所定の閾値以上である場合には（ステップＳ２３でＮＯ）、ＲＡＣＨプリアンブルのＣＭ値のグループを“ｌｏｗ”に設定する（ステップＳ２５）。
【０１２７】
次に、ランダムアクセス信号選択部１２は、電力制限部１１によって設定されたグループに対応する複数種類のＲＡＣＨプリアンブルを選択し、選択した内容を示す報知情報を送信信号処理部９７経由で各無線端末装置２０２へ送信する。これにより、自己の無線基地局装置１０１および無線端末装置２０２間で、上記設定内容に従ったＲＡＣＨプリアンブルの送受信が行われる（ステップＳ２２）。
【０１２８】
ところで、フェムト基地局またはピコ基地局は、マクロ基地局と比べて無計画に配置される場合が多く、また、通信システムにおける通信負荷の増減に応じて起動および停止が動的に制御される場合もある。このため、送信タイミングおよび送信電力等、ＲＡＣＨに関する最適なパラメータ設定は、一定ではなく、変化する場合がある。そして、ＲＡＣＨのパラメータ設定が適切でない場合には、無線端末装置が無線基地局装置との通信接続を確立できない、当該通信接続の確立に遅延が生じる、および無線端末装置のハンドオーバ動作に遅延が生じる等、種々の問題が生じる。
【０１２９】
また、フェムト基地局を設置する際に１つ１つのフェムト基地局についてＲＡＣＨパラメータの設定を事業者が行なっていくと、相当な作業と費用を要する。また、新たにフェムト基地局が設置されてフェムト基地局が増加するたびに、新たに設置されたフェムト基地局だけでなく、既存の周辺のフェムト基地局の再設定も行なわなければならなくなる。
【０１３０】
これに対して、本発明の実施の形態に係る無線基地局装置では、電力制限部１１は、所定情報に基づいて、自己の無線基地局装置１０１への、無線端末装置２０２から送信される無線信号の送信電力の上限を判断する。ランダムアクセス信号選択部１２は、電力制限部１１によって判断された上記上限に基づいて、複数種類のランダムアクセス信号の中から上記無線端末装置２０２が使用可能な１または複数種類のランダムアクセス信号を選択する。
【０１３１】
このような構成により、無線端末装置２０２から自己の無線基地局装置１０１へ送信される無線信号の送信電力の上限に応じた適切なランダムアクセス信号を選択することができる。
【０１３２】
したがって、本発明の実施の形態に係る無線基地局装置では、ランダムアクセス信号の設定を適切に行なうことにより、良好な通信システムを構築することができる。
【０１３３】
また、無計画に設置される場合の多いフェムト基地局およびピコ基地局のＲＡＣＨに関するパラメータを自動的に設定することができるため、ＣＡＰＥＸ（Capital Expenditure）すなわち無線基地局装置の配置にかかるコスト、およびＯＰＥＸ（Operational Expenditure）すなわち無線基地局装置の運用にかかるコストの低減を図ることができる。
【０１３４】
また、本発明の実施の形態に係る無線基地局装置では、セル半径情報取得部１３は、自己の無線基地局装置１０１のセル半径を評価可能なセル半径情報を取得する。そして、電力制限部１１は、セル半径情報取得部１３によって取得されたセル半径情報に基づいて上記上限を判断する。
【０１３５】
このように、自己の無線基地局装置１０１のセル半径に基づいて自己の無線基地局装置１０１のランダムアクセス信号に関する設定を行なう構成により、無線基地局装置１０１の特性に応じた最適な設定を行なうことができる。
【０１３６】
また、本発明の実施の形態に係る無線基地局装置では、電力制限部１１は、自己の無線基地局装置１０１のセル半径が大きいほど上記上限を大きく設定する。
【０１３７】
このような構成により、自己の無線基地局装置１０１のセル半径の大きさに応じて無線端末装置２０２の送信電力の上限を適切に設定し、適切なランダムアクセス信号を選択することができる。
【０１３８】
また、本発明の実施の形態に係る無線基地局装置では、移動情報取得部１４は、他の無線基地局装置１０１から自己の無線基地局装置１０１への無線端末装置２０２の移動動作の失敗回数に基づく失敗情報を取得する。そして、電力制限部１１は、移動情報取得部１４によって取得された失敗情報に基づいて上記上限を判断する。
【０１３９】
このように、自己の無線基地局装置１０１への無線端末装置２０２の移動動作の状況に基づいて自己の無線基地局装置１０１のランダムアクセス信号に関する設定を行なう構成により、無線基地局装置１０１の通信環境に応じた最適な設定を行なうことができる。
【０１４０】
また、本発明の実施の形態に係る無線基地局装置では、電力制限部１１は、移動動作の失敗回数または失敗率が大きいほど上記上限を大きく設定する。
【０１４１】
このような構成により、自己の無線基地局装置１０１への無線端末装置２０２の移動動作の失敗履歴に基づいて無線端末装置２０２の送信電力の上限を適切に設定し、適切なランダムアクセス信号を選択することができる。
【０１４２】
また、本発明の実施の形態に係る無線基地局装置では、試行回数取得部１５は、自己の無線基地局装置１０１がランダムアクセス信号を検出するまでの、無線端末装置２０２から自己の無線基地局装置１０１へのランダムアクセス信号の送信回数を取得する。そして、電力制限部１１は、試行回数取得部１５によって取得された送信回数に基づいて上記上限を判断する。
【０１４３】
このように、自己の無線基地局装置１０１における無線端末装置２０２からのランダムアクセス信号の検出特性に基づいて自己の無線基地局装置１０１のランダムアクセス信号に関する設定を行なう構成により、無線基地局装置１０１の通信環境に応じた最適な設定を行なうことができる。
【０１４４】
また、本発明の実施の形態に係る無線基地局装置では、電力制限部１１は、上記送信回数が大きいほど上記上限を大きく設定する。
【０１４５】
このような構成により、無線端末装置２０２からのランダムアクセス信号の送信回数に応じて無線端末装置２０２の送信電力の上限を適切に設定し、適切なランダムアクセス信号を選択することができる。
【０１４６】
また、本発明の実施の形態に係る無線基地局装置では、ランダムアクセス信号選択部１２は、電力制限部１１によって判断された上記上限によって決まるＣＭ（Cubic Metric）値に基づいて、複数種類のランダムアクセス信号の中から無線端末装置２０２が使用可能な１または複数種類のランダムアクセス信号を選択する。
【０１４７】
このような構成により、ＣＭ値の大小に応じた適切なランダムアクセス信号を選択することができる。
【０１４８】
また、本発明の実施の形態に係る無線基地局装置では、ランダムアクセス信号は、ランダムアクセスプリアンブルである。
【０１４９】
このような構成により、適切なランダムアクセスプリアンブルを選択し、ランダムアクセスシーケンスにおいて重要なランダムアクセスプリアンブルの検出を良好に行うことができる。
【０１５０】
なお、本発明の実施の形態に係る無線基地局装置では、電力制限部１１が、ＲＡＣＨプリアンブルのＣＭ値のグループを“ｈｉｇｈ”または“ｌｏｗ”に設定する構成であるとしたが、これに限定するものではない。２つのグループを設定可能な構成に限らず、３つ以上のグループを設定可能な構成であってもよい。
【０１５１】
また、本発明の実施の形態に係る無線基地局装置では、ランダムアクセス信号選択部１２は、電力制限部１１によって設定されたグループに対応する複数種類のＲＡＣＨプリアンブルを選択する構成であるとしたが、これに限定するものではない。ランダムアクセス信号選択部１２は、電力制限部１１によって設定されたグループに対応する複数種類のＲＡＣＨプリアンブルのうち、１または複数種類のＲＡＣＨプリアンブルを選択する構成であってもよい。
【０１５２】
また、本発明の実施の形態に係る無線基地局装置では、電力制限部１１が、ＣＭ値を基準としたＲＡＣＨプリアンブルのグループを設定する構成であるとしたが、これに限定するものではない。電力制限部１１は、ＣＭ値に限らず、無線端末装置２０２の送信電力の上限を判断可能な何らかの指標を基準とする構成であればよい。
【０１５３】
また、本発明の実施の形態に係る無線通信システムでは、無線基地局装置１０１がランダムアクセス制御装置として動作する。すなわち、無線基地局装置１０１が、無線端末装置２０２の送信電力の上限の判断および自己のランダムアクセス信号に関する設定を行なう構成であるとしたが、これに限定するものではない。ランダムアクセス制御装置は、１または複数の無線基地局装置１０１を管理するための管理装置であってもよい。具体的には、ゲートウェイ装置２０３および上位装置２０５等、無線基地局装置１０１を管理するための管理装置が、無線端末装置２０２の送信電力の上限の判断および対象の無線基地局装置１０１である対象基地局のランダムアクセス信号に関する設定を行なう構成であってもよい。
【０１５４】
この場合、管理装置において、電力制限部は、所定情報に基づいて、対象基地局への、無線端末装置２０２から送信される無線信号の送信電力の上限を判断する。
【０１５５】
そして、ランダムアクセス信号選択部は、電力制限部によって判断された上記上限に基づいて、複数種類のランダムアクセス信号の中から上記無線端末装置２０２が使用可能な１または複数種類のランダムアクセス信号を選択する。
【０１５６】
このような構成により、無線通信システム３０１における各無線基地局装置１０１のランダムアクセス信号の設定を管理装置において一括して行なうことができるため、無線端末装置２０２の送信電力の上限の判断およびランダムアクセス信号に関する設定を、より効率的に行なうことができる。
【０１５７】
一方、本発明の実施の形態に係る無線通信システムのように、ランダムアクセス制御装置が無線基地局装置１０１である構成により、無線通信システム３０１におけるランダムアクセス信号の設定を各無線基地局装置１０１で行なうことができるため、無線端末装置２０２の送信電力の上限の判断およびランダムアクセス信号に関する設定の処理負荷を分散させることができる。
【０１５８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１５９】
１１  電力制限部
１２  ランダムアクセス信号選択部
１３  セル半径情報取得部
１４  移動情報取得部
１５  試行回数取得部
９１  アンテナ
９２  サーキュレータ
９３  無線受信部
９４  無線送信部
９５  信号処理部
９６  受信信号処理部
９７  送信信号処理部
９８  制御部
１０１  無線基地局装置
１０１Ａ，１０１Ｂ，１０１Ｃ  フェムト基地局
１０１Ｄ  ピコ基地局
２０１  マクロ基地局
２０２  無線端末装置
２０３  ゲートウェイ装置
２０４  コアネットワーク
２０５  上位装置
３０１  無線通信システム
【図１】
2013201502.tif 000003
【図２】
2013201502.tif 000004
【図３】
2013201502.tif 000005
【図４】
2013201502.tif 000006
【図５】
2013201502.tif 000007
【図６】
2013201502.tif 000008
【図７】
2013201502.tif 000009
【図８】
2013201502.tif 000010
【図９】
2013201502.tif 000011